(57)【要約】【課題】  視野照明の消し忘れを防止して電池の消耗を抑える視野照明装置を提供する。【解決手段】  極軸望遠鏡１の視野内を照明する視野照明装置１０であって、視野照明装置１０は、極軸望遠鏡１の視野内を照明する発光素子１２と、発光素子１２の輝度を所定の時間で減衰する自動消灯手段として点灯時間制御部１４とを備えることを特徴とする。これにより所定の時間で必ず発光素子１２を消灯させることができる。【選択図】  図２
2015064452.tif 000002
【特許請求の範囲】
【請求項１】
観測光学機器の視野内を照明する視野照明装置であって、
前記観測光学機器の視野内を照明する発光素子と、
前記発光素子の輝度を所定の時間で減衰する自動調光手段とを備えること
を特徴とする視野照明装置。
【請求項２】
前記自動調光手段は、所定の時間で輝度を０まで減衰させること
を特徴とする請求項１に記載の視野照明装置。
【請求項３】
前記自動調光手段は、コンデンサを有すること
を特徴とする請求項１又は２に記載の視野照明装置。
【請求項４】
さらに、前記発光素子の輝度を所望の輝度に切り替える手動調光手段を前記自動調光手段と直列に備えること
を特徴とする請求項１乃至３のいずれか一つに記載の視野照明装置。
【請求項５】
前記発光素子は、前記観測光学機器の視野内を暗視野照明すること
を特徴とする請求項１乃至４のいずれか一つに記載の視野照明装置。
【請求項６】
前記観測光学機器は、極軸望遠鏡であること
を特徴とする請求項１乃至５のいずれか一つに記載の視野照明装置。
【請求項７】
前記請求項１乃至５のいずれか一つに記載された視野照明装置を備えること
を特徴とする観測光学機器。
【請求項８】
視野内にレチクルを備え、
前記発光素子は前記レチクルを照明すること
を特徴とする請求項７に記載の観測光学機器。
【請求項９】
観測光学機器の視野内を照明する方法であって、
発光素子の輝度を所定の時間で減衰する自動調光を行うこと
を特徴とする視野照明方法。
【発明の詳細な説明】
【技術分野】
【０００１】
本発明は、視野内を照明する視野照明装置並びにこれを用いた観測光学機器及び視野照明方法に関する。
【背景技術】
【０００２】
天体望遠鏡等を用いて天体観測を行う際に、地球の自転により天体が見かけ上動いてしまうので、一定の天体を観測し続けるには地球の自転速度に応じて天体望遠鏡等を回動させる必要がある。
【０００３】
天体望遠鏡等を回動させるためには、手動で回動させる方法もあるが、長時間にわたって正確に一定の天体を追尾することは困難であるため、モータードライブにて天体望遠鏡等を回動させる赤道儀を用いることが一般的である。
【０００４】
赤道儀は、その運用にあたって、天の極と回転軸中心を一致させる、即ち極軸を合わせる必要がある。
【０００５】
赤道儀の極軸を合わせるにあたっては、北半球においては、天の極に非常に近い位置に明るい天体である北極星が存在するため、この北極星を回転軸中心に合わせることで、おおむね一定の天体を追尾可能となる。
【０００６】
しかし、北極星は現在、天の極とわずかにずれた位置に存在するため、天体望遠鏡等を長時間回動し続けると、観測する天体の位置が僅かにずれてしまい、長時間露光を要する天体写真では天体が点に写らずに流れてしまう。
【０００７】
そこで、赤道儀では、回転軸中心にレチクル（標準）を有する望遠鏡（以下では、単に極軸望遠鏡と記載する。）を設け、レチクルにより天の極周辺の天体を導入して正確に極軸を合わせるようにしている。
【０００８】
上述のような極軸望遠鏡は、特許文献１に記載されているように、赤道儀の回転軸中心を貫通するように設けられている。
【０００９】
極軸を合わせるにあたって、極軸望遠鏡の視野内は夜空で暗いためレチクルが見えにくくなる。このため、極軸望遠鏡では、例えば明視野照明装置や暗視野照明装置を備え、レチクルを照明するようにしている。これによってレチクルのパターンを明るく表示することができ、天体の導入を容易にしている。
【先行技術文献】
【特許文献】
【００１０】
【特許文献１】特開２００４−２１２６７１号公報
【発明の概要】
【発明が解決しようとする課題】
【００１１】
しかしながら、特許文献１に記載の技術では、ボタン型電池等を電源としてレチクルを照明することが考えられるが、照明の消し忘れ等により電池を消耗してしまうことがある。ユーザは、極軸合わせ以外で極軸望遠鏡を覗くことがないため、極軸合わせが終わってしまうと照明の消し忘れに気が付かないことが多いからである。
【００１２】
極軸合わせは、おおむね一度の観測で１回しか行わないことが多く、照明の消し忘れは、次回の観測開始まで電池を使い続けて電池を消耗し、いざ次回に観測を開始しようとしても照明を使うことができなければ、極軸を合わせることができず、観測を行うことができないといった問題が生じてしまう。
【００１３】
また、照明の消し忘れ防止対策として、予備のボタン型電池を常備することも考えられるが、ユーザに過度の負担を強いることとなり好ましくない。
【００１４】
なお、照明中か否かをパイロットランプ等を用いて外部に知らせることも考えられるが、天体観測等において外部に光を漏らすことは観測を阻害する要因となり、また極軸望遠鏡を覗いている時には視野の近くにパイロットランプが光るとユーザの視界に光が入り極軸合わせを阻害するため現実的な解決策とはならない。
【００１５】
本発明はかかる課題に鑑みてなされたものであり、その目的は、観測光学機器の視野内を照明する視野照明装置を消し忘れて電池を消耗してしまうことを防止する視野照明装置並びにこれを用いた観測光学機器及び視野照明方法を提供することを目的とする。
【課題を解決するための手段】
【００１６】
本発明のある態様は、観測光学機器の視野内を照明する視野照明装置であって、観測光学機器の視野内を照明する発光素子と、発光素子の輝度を所定の時間で減衰する自動調光手段とを備えることを特徴とする。
【００１７】
このような態様によると、自動調光手段により発光素子の輝度が所定時間で減衰することとなり、ユーザが意識せずに照明の消し忘れを防止し、電池の消耗を防止することができる。
【００１８】
本発明のある態様は、更に、自動調光手段が所定の時間で輝度を０まで減衰させることを特徴とする。
【００１９】
このような態様によると、自動調光手段により発光素子の輝度が所定の時間で輝度を０まで減衰することとなり、ユーザが意識せずに照明の消し忘れを防止することができ、確実に照明をＯＦＦとすることができる。
【００２０】
本発明のある態様は、更に、自動調光手段が、コンデンサを有することを特徴とする。
【００２１】
このような態様によると、コンデンサという簡便な方法で照明の消し忘れを防止することができる。また、これにより、装置構成を簡単に、製造コストを安価にすることができる。
【００２２】
本発明のある態様は、更に、発光素子の輝度を所望の輝度に切り替える手動調光手段を自動調光手段と直列に備えることを特徴とする。
【００２３】
このような態様によると、自動調光手段による発光素子の輝度の減衰に加え手動調光手段により、発光素子の輝度を自由に切り替えることができる。これにより、ユーザの意思を反映した輝度を得ることができる。
【００２４】
本発明のある態様は、更に、発光素子が、観測光学機器の視野内を暗視野照明することを特徴とする。
【００２５】
このような態様によると、暗視野照明では、観測光学機器の外部に漏れ出る光が少ないため、照明の消し忘れが多くなるので特に効果的である。
【００２６】
本発明のある態様は、更に、観測光学機器が、極軸望遠鏡であることを特徴とする。
【００２７】
このような態様によると、極軸望遠鏡では、わずかな明るさの天体を見ながらの作業となるため、自動調光手段による輝度の減衰で、視野内の照明が暗くなり、これらの天体を視認しやすくすることができる。
【００２８】
本発明のある態様は、視野内を照明する発光素子と、発光素子の輝度を所定の時間で減衰する自動調光手段とを備える視野照明装置を備える観測光学機器であることを特徴とする。
【００２９】
このような態様によると、自動調光手段により発光素子の輝度が所定時間で減衰することとなり、ユーザが意識せずに照明の消し忘れを防止し、電池の消耗を防止することができる。
【００３０】
本発明のある態様は、視野内にレチクルを備え、発光素子はレチクルを照明する観測光学機器であることを特徴とする。
【００３１】
このような態様によると、レチクルを照明する光が減衰するため、観察対象が暗いものであってもレチクルの光に惑わされずに適切に観察することができる。
【００３２】
本発明のある態様は、観測光学機器の視野内を照明する方法であって、発光素子の輝度を所定の時間で減衰する自動調光を行うことを特徴とする。
【００３３】
このような態様によると、自動調光手段により発光素子の輝度が所定時間で減衰することとなり、ユーザが意識せずに照明の消し忘れを防止し、電池の消耗を防止することができる。
【発明の効果】
【００３４】
本発明によると、視野照明装置の消し忘れを防止し、電池の消耗を防止することができる。
【発明を実施するための形態】
【００３５】
以下、本発明を観測光学機器である極軸望遠鏡に適用した例を用いて説明する。なお、本発明における観測光学機器としては、極軸望遠鏡に限られず、電池等によって駆動される視野照明装置を有する他の光学機器にも用いることができ、本発明の目的を達成することができる光学機器を広く含むものとすることは言うまでもない。
【００３６】
まず、極軸望遠鏡について図１乃至図６を用いて簡単に説明する。図１は、極軸望遠鏡１の視野照明装置１０周辺を側面から見た断面図である。図２は、視野照明装置１０の回路構成を示すブロック図である。図３及び図４は、視野照明装置１０の電気回路図である。図５は、視野照明装置１０の制御電圧ＶＧを説明するグラフである。図６は、視野照明装置１０のレチクルのパターンを説明する図である。
【００３７】
極軸望遠鏡１は、図１に示すように、レンズ系２と、鏡筒３と、レチクル板４と、視野照明装置１０とを備えている。
【００３８】
レンズ系２は、少なくとも１枚のレンズからなる対物レンズ（不図示）と、少なくとも１枚のレンズからなる接眼レンズ５とを有している。このレンズ系２によって、天の極付近の天体を望遠観測することができる。
【００３９】
鏡筒３は、内部にレンズ系２やレチクル板４を光軸Ａを中心となるように保持する筐体を構成する。鏡筒３は、図示しない赤道儀の取付け部に挿入される際に突き当て部となるフランジ部７を有している。
【００４０】
レチクル板４は、図６に示す、パターンが設けられており、視野照明装置１０によって側面から照明されることによってパターンが明るく浮かび上がるようになっている。つまり照明光がレチクル板４のパターンによって散乱されてパターン部分のみが照明される、いわゆる暗視野照明法である。なお、レチクル板４のパターンについては詳細を後述する。
【００４１】
上述のように極軸望遠鏡１は、光軸Ａ方向に全光学長を有し、図１中のフランジ部７から左側が赤道儀に挿通される。
【００４２】
なお、極軸望遠鏡１のレチクル板４及び視野照明装置１０以外についての構成については汎用技術であるため詳細な説明を省略する。以下では、特に視野照明装置１０について詳述する。
【００４３】
視野照明装置１０は、図２に示すように、電源１１と、電源１１によって駆動される発光素子１２と、発光素子１２の輝度を制御する発光輝度制御部１３と、発光素子１２の点灯時間を制御する点灯時間制御部１４と、発光素子１２を点灯するとともに自動消灯するトリガーとなる点灯モーメンタリスイッチ１５とを備えている。
【００４４】
電源１１は、直流電流源であり、ボタン型電池等、視野照明装置１０に内蔵できる薄さのものが好ましい。特に、極軸望遠鏡１は軸中心にレンズ等の光学部品が並んでいることから、付随する部品は光軸Ａから見て外周側に設置せざるを得ない。極軸望遠鏡１に装着する視野照明装置１０が外側に突出してしまうことを極力防止するために、薄型の電池を用いることが好ましい。これによって、突出部分を少なくすることができ、極軸望遠鏡１のユーザの取り扱いが容易となり、引っかかりや装置の破損を防止することができる。
【００４５】
発光素子１２は、低消費電力であるＬＥＤ（Ｌｉｇｈｔ  Ｅｍｉｔｔｉｎｇ  Ｄｉｏｄｅ）を用いることが好ましい。また、発光波長は赤色とすることが好適である。天体観測等では、明るい光によって目が眩んでしまうことがあるので、極軸望遠鏡では人間の目の感度が最も低い赤色光でレチクル板４を照明することで、目が眩まずにわずかな明かりの天体を導入することができる。
【００４６】
発光輝度制御部１３は、点灯時間制御部１４と直列に設けられ、発光素子１２の発光輝度を制御する。具体的には、後述する輝度調整つまみ１３ａをユーザが操作することで発光素子１２を所望の発光輝度で点灯することができる。
【００４７】
発光輝度制御部１３は、本発明の手動調光手段の一例であり、発光素子１２の輝度を所望の輝度に切り替えることができる。
【００４８】
点灯時間制御部１４は、発光輝度制御部１３と直列に設けられ、発光素子１２の点灯時間を制御する。具体的には、点灯モーメンタリスイッチ１５がＯＮ操作されることによって、発光素子１２の輝度が所定の時間で減衰するように発光素子１２の点灯時間を制御する。
【００４９】
点灯時間制御部１４は、本発明の自動調光手段の一例であり、ユーザの意図によらず発光素子１２の輝度を所定の時間で減衰させて輝度を０とすることができる。すなわち、発光素子１２へ供給する制御電圧ＶＧを所定の時間で減衰させて０とし、照明をＯＦＦとすることができる。
【００５０】
ここで、発光素子１２の輝度は、発光素子１２に印可する電圧によって変化する。点灯時間制御部１４は、図５に示すように制御電圧ＶＧを調整することができる。
【００５１】
なお、制御電圧ＶＧは、図５に示すように所定の時定数で減衰するだけではなく、電圧自体は一定のまま、所定のデューティー比でＯＮ／ＯＦＦ制御することによって、発光輝度を時分割して徐々に点灯時間を短くする方法を用いることもできる。この場合に、点灯時間制御部１４は、デューティー比の調整により点灯時間を制御するものとする。
【００５２】
また、制御電圧ＶＧは、デジタル制御でステップ状に電圧を段階的に下げて行ってもよい。この場合に、点灯時間制御部１４は、ステップの時間間隔、ステップ間の電圧差を調整することにより点灯時間を制御するものとする。
【００５３】
点灯モーメンタリスイッチ１５は、視野照明装置１０の発光素子１２の点灯開始するスイッチであり、ユーザの操作により、発光素子１２に電源１１からの電圧を印可開始するとともに印可電圧の減衰も開始するトリガーとなる。
【００５４】
次に、視野照明装置１０の具体的な構成例を、図３及び図４に示す回路図を用いて説明する。
【００５５】
図３では、電源１１をＢＡＴ１で表記し、発光素子１２をＬＥＤ１で表記し、発光輝度制御部１３をＶＲ１で表記し、点灯時間制御部１４をＣ１、ＶＲ２で表記し、点灯モーメンタリスイッチ１５をＳＷ１で表記し、その他必要なトランジスタをＱ１で表記している。
【００５６】
図３における回路構成図では、電源１１のプラス端がＳＷ１のＯＮ側、ＶＲ１の一端にそれぞれ接続されており、マイナス端がＳＷ１のＯＦＦ側、Ｃ１の一端、ＶＲ２の一端、トランジスタＱ１のソースＳにそれぞれ接続されている。また、トランジスタＱ１のゲートＧが、ＳＷ１、Ｃ１の他端、ＶＲ２の他端にそれぞれ接続されている。トランジスタＱ１のドレインＤは、発光素子１２のカソードＫに接続されており、発光素子１２のアノードＡは可変抵抗ＶＲ１の他端に接続されている。
【００５７】
点灯モーメンタリスイッチ１５をＯＮの切り替え操作を行うことにより、発光素子１２へ供給する電圧の印可が開始される。
【００５８】
図３において、発光輝度制御部１３は、可変抵抗ＶＲ１により構成し、輝度調整つまみ１３ａと連結された可変抵抗ＶＲ１の抵抗値を可変調整することで、発光素子１２に印可する電圧を調整することができる。すなわち、発光素子１２の発光輝度を手動で制御することができる。
【００５９】
点灯時間制御部１４は、コンデンサＣ１と可変抵抗ＶＲ２を並列して構成し、可変抵抗ＶＲ２の抵抗値を可変調整することで、点灯時間を調整可能としている。
【００６０】
具体的に発光素子１２の輝度の減衰、即ち、制御電圧ＶＧの減衰を図５を用いて詳細に説明する。図５には、電圧降下特性を示すグラフが記載されている。この電圧降下特性は、一つのモデルとして、以下の式１で表すことができる。
【数１】
2015064452.tif 000003
【００６１】
ここで、
ＶＧは、ＯＮ／ＯＦＦ制御電圧、
Ｖ０は、電源電圧
Ｃは、Ｃ１の静電容量
Ｒは、ＶＲ２の抵抗値
ｔは、放電時間
ｅは、自然対数の底
を表す。
【００６２】
上述の式１に示すように、制御電圧ＶＧは、可変抵抗ＶＲ２の抵抗値Ｒを定数とすれば、一意に定まる減衰特性を示し、所定の時間で発光素子１２の点灯を終了することが理解できる。また、可変抵抗ＶＲ２の抵抗値Ｒを定数とすれば時定数が定まると言える。
【００６３】
なお、点灯時間制御部１４は、コンデンサが少なくとも一つあればその目的を達成することができる。可変抵抗ＶＲ２を並列配置するのは、点灯時間を調整可能としたためであるが、所望の点灯時間があらかじめ定まっていれば、これに応じた静電容量のコンデンサを用いることで、装置構成を簡易にすることができる。
【００６４】
次に、具体的な装置の構造と回路の一例について、図４を用いて説明する。図４における回路記号には、図３とほぼ同じ機能を有する物には同じ記号を付しているため説明を省略する。
【００６５】
視野照明装置１０は、発光素子１２と、発光素子１２が設置される照明基板２１と、可変抵抗ＶＲ１が設けられた抵抗基板２２と、抵抗基板２２と接続されるとともに電源１１を保持する電池ケース２３と、電池ケース２３と螺合する電池蓋２４と、電池蓋２４内部に設けられたスイッチ基板２５と、点灯モーメンタリスイッチ１５とを備えている。
【００６６】
ここで、視野照明装置１０は、図１に示すように、発光素子１２が、鏡筒３に設けられた開口部３ａに挿通されてレチクル板４を側面から照射するようになっている。
【００６７】
より具体的には、照明基板２１の鏡筒３側に発光素子１２が設けられ、鏡筒３の開口部３ａに挿通される。また照明基板２１の反対側には、接点バネＪ３，Ｊ４が設けられている。
【００６８】
抵抗基板２２は、並列配置された端子ＰＡＤ−０１乃至ＰＡＤ−１０と、直列配置された抵抗Ｒ１乃至Ｒ８が設けられている。抵抗基板２２では、端子ＰＡＤ−０１乃至ＰＡＤ−１０と抵抗Ｒ１乃至Ｒ８とによって可変抵抗ＶＲ１を構成している。
【００６９】
端子ＰＡＤ−１０は、電池ケース２３と電気的に接続されている。
【００７０】
抵抗基板２２は、端子ＰＡＤ−０１が端子ＰＡＤ−１０と抵抗Ｒ１を介して接続され、端子ＰＡＤ−０２が端子ＰＡＤ−１０と抵抗Ｒ１＋Ｒ２を介して接続され、・・・、端子ＰＡＤ−０８が端子ＰＡＤ−１０と抵抗Ｒ１＋Ｒ２＋Ｒ３＋Ｒ４＋Ｒ５＋Ｒ６＋Ｒ７＋Ｒ８を介して接続されている。すなわち、端子ＰＡＤ−０１から端子ＰＡＤ−０８に向けて抵抗値が高くなるように回路構成が組まれた８段階の可変抵抗である。
【００７１】
なお、最も抵抗値が高くなる回路において完全に絶縁してオフスイッチとするようにしてもよいが、本発明にかかる例によれば、点灯時間制御部１４により消灯制御がなされるため、あえてオフスイッチを設ける必要はなく、その分を多段で輝度調整することができるようにした方が、ユーザの操作性が向上してよりきめ細やかな輝度設定ができるようになる。
【００７２】
端子ＰＡＤ−０１乃至ＰＡＤ−０８のいずれか一つは、接点バネＪ３を介してＬＥＤ１のカソードＫと接続され、ＬＥＤ１のアノードＡは接点バネＪ４に接続される。接点バネＪ４は端子ＰＡＤ−０９と接続される。
【００７３】
端子ＰＡＤ−０９は端子ＰＡＤ−１１と接続され、端子ＰＡＤ−１１は電源１１に接続されている。
【００７４】
スイッチ基板２５は、スイッチＳＷ１と、並列配置された端子ＰＡＤ−１２乃至ＰＡＤ−１４と、抵抗Ｒ９、コンデンサＣ１及びコンデンサＣ２と、トランジスタＱ１と、並列配置された端子ＰＡＤ−１５乃至１７と、電源１１を抑える接点バネＪ１及び接点バネＪ２を備えている。
【００７５】
ここで、図４においては、スイッチＳＷ１によって消灯モーメンタリスイッチ１５を構成し、並列配置された抵抗Ｒ９、コンデンサＣ１及びコンデンサＣ２が点灯時間制御部１４を構成している。
【００７６】
なお、コンデンサＣ１及びコンデンサＣ２は、点灯時間を調整するために適宜、その静電容量を選択するようにしてよく、少なくとも一つのコンデンサがあれば回路構成が成立する。また、抵抗Ｒ９は、固定抵抗としているが可変抵抗としても当然に構わない。ただし、本照明装置１０においては、発光輝度制御部１３を設けて輝度を調整可能としているため、装置構成を簡便とするべく、固定抵抗を用いている。
【００７７】
スイッチＳＷ１は、一端を端子ＰＡＤ−１２乃至ＰＡＤ−１４に接続し、接点リング２６を介して電源１１と接続されている。また、スイッチＳＷ１は、他端をトランジスタＱ１のゲートＧ及び抵抗Ｒ９、コンデンサＣ１及びコンデンサＣ２で構成する点灯時間制御部１４の一端に接続されている。
【００７８】
点灯時間制御部１４は、他端が接点バネＪ１及び接点バネＪ２と、トランジスタＱ１のソースＳとに接続されている。
【００７９】
また、トランジスタＱ１は、ドレインＤが端子ＰＡＤ−１５乃至ＰＡＤ−１７に接続されている。端子ＰＡＤ−１５乃至ＰＡＤ−１７は、電池蓋２４と接続されている。
【００８０】
電池ケース２３及び電池蓋２４は、導体で構成されている。このため、電池ケース２３と電池蓋２４とが螺合することによって、電池ケース２３と電池蓋２４とが電気的に接続される。つまり、電池ケース２３と電池蓋２４によって抵抗基板２２の端子ＰＡＤ−１０と、スイッチ基板２４の端子ＰＡＤ−１５乃至ＰＡＤ−１７とが電気的に接続されることとなる。
【００８１】
以上のような構成により、本発明の例による視野照明装置１０は、点灯時間制御部１４により発光素子１２の輝度を自動的に所定の時間で減衰させるため、ユーザが意識せずに照明の消し忘れを防止し、電池の消耗を防止することができる。
【００８２】
また、本発明の例による視野照明装置１０は、点灯時間制御部１４により発光素子１２の輝度を自動的に所定の時間で０まで減衰することとなり、ユーザが意識せずに照明の消し忘れを防止することができ、確実に照明をＯＦＦとすることができる。
【００８３】
また、本発明の例による視野照明装置１０は、点灯時間制御部１４をコンデンサで構成したため、装置構成を簡単で、製造コストを安価にすることができる。
【００８４】
また、本発明の例による視野照明装置１０は、点灯時間制御部１４と直列配置した発光輝度制御部１３により発光素子１２の輝度を自由に切り替えることができ、ユーザの意思を反映した輝度を得ることができる。
【００８５】
また、本発明の例による視野照明装置１０は、極軸望遠鏡１の外部に漏れ出る光が少ない暗視野照明では、効果的に照明の消し忘れを防止することができる。
【００８６】
また、本発明の例による視野照明装置１０は、極軸望遠鏡１に用いることで、わずかな明るさの天体を見ながらの作業を容易とすることができる。すなわち、点灯時間制御部１４による輝度の減衰で、視野内の照明が自動的に暗くなり、これらの天体を視認しやすくすることができる。
【００８７】
特に、本発明の例による視野照明装置１０は、南半球における極軸合わせにおいては、天の極付近に明るい天体が存在しないため、より効果を発揮することとなる。
【００８８】
ここで、本発明の例によって暗視野照明されるレチクル板４のパターンについて説明するとともに極軸望遠鏡１の動作について説明する。なお、レチクル板４のパターンは図６において、北半球用のものを用いているが、南半球では南半球用のものを用いるものとする。また、図６に示すパターンは２０１５年〜２０４０年まで、地球の歳差運動を考慮したものであり、ゲージ４３に「年」と「目盛」が刻まれている。
【００８９】
図６に示すように、レチクル板４には、円形の中央部が赤道儀の回転軸中心４０を示し、この回転軸中心４０に天の極を合わせることで極軸合わせを行う。
【００９０】
極軸を合わせるにあたっては、所定の天体を、ゲージ４３等を見ながら合わせる必要がある。もっとも簡単な指標としては、付近で随一の明るさを誇る天体である北極星を導入部４２に合わせることとなるが、より正確を期すために他の天体も導入部４１等に合わせることとなる。
【００９１】
ここで、ゲージ４３のみを頼りに天体を導入すると天体の導入が難しいため、本発明の例では、ゲージ４３に合わせてガイド用ライン４４を設けるようにしている。すなわち、所望の天体をガイド用ライン４４の内側に入れることで、暗い天体であっても導入を容易とすることができるようにしている。
【００９２】
ガイド用ライン４４が存在すると、暗視野照明により導入天体と重なってしまった場合にこの天体を見失ってしまう可能性があるが、点灯時間制御部１４により照明の輝度が低下するため、本発明の例にかかる視野照明装置１０では、特に問題とならず、むしろ天体を導入しやすくすると言える。
【００９３】
なお、本発明の例にかかる視野照明装置１０は、図１に示すように、ボール８と、輝度調整つまみ１３ａの回転方向に複数設けられた凹部９とからなるラッチ構造を有している。ボール８は凹部９に押し付けられるため、輝度調整つまみ１３ａを回転操作するとユーザに対してクリック感が発生する。ユーザは極軸合わせ等の暗い環境下であっても輝度調整つまみ１３ａを回すときのクリック感によってどのレベルの輝度に合わせているのか容易に理解することができる。また、寒く悴んだ指で輝度調整つまみ１３ａを回した場合であっても回転量を正確に把握することができる。
【００９４】
以上、本発明の例をもとに説明した。本発明は上述した例の内容に限定されるものではなく、本発明の要旨の範囲内において種々に変形して実施をすることが可能である。上記は例示であり、それらの各構成要素の組み合わせにいろいろな変形例が可能なこと、またそうした変形例も本発明の範囲にあることは当業者に理解されるところである。
【図面の簡単な説明】
【００９５】
【図１】本発明の例にかかる照明装置を備える極軸望遠鏡を示す断面図である。
【図２】本発明の例にかかる照明装置の回路構成を示すブロック図である。
【図３】本発明の例にかかる照明装置の回路図である。
【図４】本発明の例にかかる照明装置の回路図である。
【図５】本発明の例にかかる照明装置の制御電圧を説明する図である。
【図６】本発明の例にかかる照明装置を備える極軸望遠鏡のレチクルを説明する図である。
【符号の説明】
【００９６】
１  極軸望遠鏡
２  レンズ系
３  鏡筒
３ａ  開口部
４  レチクル板
５  接眼レンズ
７  フランジ部
８  ボール
９  凹部
１０  視野照明装置
１１  電源（ボタン型電池）
１２  発光素子（ＬＥＤ）
１３  発光輝度制御部（手動調光手段）
１３ａ  輝度調整つまみ
１４  点灯時間制御部（自動調光手段）
１５  点灯モーメンタリスイッチ
１６  消灯モーメンタリスイッチ
２１  照明基板
２２  抵抗基板
２３  電池ケース
２４  電池蓋
２５  スイッチ基板
２６  接点リング
４０  回転軸中心
４１  導入部
４２  導入部
４３  ゲージ
４４  ガイド用ライン
Ａ  光軸
【図１】
2015064452.tif 000004
【図２】
2015064452.tif 000005
【図３】
2015064452.tif 000006
【図４】
2015064452.tif 000007
【図５】
2015064452.tif 000008
【図６】
2015064452.tif 000009